(57)【特許請求の範囲】
【請求項１】
非周期サウンディングリファレンス信号をトリガーする方法であって、
ユーザ装置から基地局へのスケジューリング要求の送信回数が最大値に達すると、前記ユーザ装置は、既に構成されている前記非周期サウンディングリファレンス信号の送信に用いるリソースをリリースしない、ことを特徴とする方法。
【請求項２】
請求項１に記載の方法であって、
前記ユーザ装置は、前記基地局から送信された、前記ユーザに前記非周期サウンディングリファレンス信号の送信を指示するための指示情報に基づいて、未リリースの前記リソースにより、前記非周期サウンディングリファレンス信号を送信する、方法。
【請求項３】
請求項１に記載の方法であって、
前記ユーザ装置は、ランダムアクセスプロセスを実行し；及び
前記ランダムアクセスが成功すると、前記ユーザ装置は、前記基地局から送信された、前記ユーザ装置に前記非周期サウンディングリファレンス信号の送信を指示するための指示情報に基づいて、未リリースの前記リソースにより、前記非周期サウンディングリファレンス信号を送信する、方法。
【請求項４】
請求項2又は3に記載の方法であって、
前記指示情報は下り制御情報であるDCI（Downlink  Control  Information）に含まれる所定のビットにより示される、方法。
【請求項５】
ユーザ装置であって、
前記ユーザ装置から基地局へのスケジューリング要求の送信回数が最大値に達したときに、既に構成されている非周期サウンディングリファレンス信号の送信に用いるリソースをリリースしないように構成される第一リソース処理ユニットを含む、ことを特徴とするユーザ装置。
【請求項６】
請求項5に記載のユーザ装置であって、
前記ユーザ装置は、前記基地局から送信された、前記ユーザに前記非周期サウンディングリファレンス信号の送信を指示するための指示情報に基づいて、未リリースの前記リソースにより、前記非周期サウンディングリファレンス信号を送信する、ユーザ装置。
【請求項７】
請求項5に記載のユーザ装置であって、
前記基地局へのランダムアクセスプロセスを実行するように構成される第一ランダムアクセスユニット；及び
前記ランダムアクセスが成功したときに、前記基地局から送信された、前記ユーザ装置に前記非周期サウンディングリファレンス信号の送信を指示するための指示情報に基づいて、未リリースの前記リソースにより、前記非周期サウンディングリファレンス信号を送信するように構成される第一情報送信ユニットを含む、ユーザ装置。
【請求項８】
請求項6又は7に記載のユーザ装置であって、
前記指示情報は下り制御情報であるDCI（Downlink  Control  Information）に含まれる所定のビットにより示される、ユーザ装置。
【請求項９】
非周期サウンディングリファレンス信号をトリガーする基地局の処理方法であって、
ユーザ装置が前記非周期サウンディングリファレンス信号の送信に用いるリソースを構成し、
前記非周期サウンディングリファレンス信号の送信を指示するための指示情報を前記ユーザ装置に対して送信することを含み、
構成した前記リソースは、前記ユーザ装置から前記基地局へのスケジューリング要求の送信回数が最大値に達した場合も前記ユーザ装置によりリリースされない、ことを特徴とする、方法。
【請求項１０】
請求項9に記載の方法であって、
前記指示情報は下り制御情報であるDCI（Downlink  Control  Information）に含まれる所定のビットにより示される、方法。
【発明の詳細な説明】
【技術分野】
【０００１】
本発明は、通信分野に関し、特に、非周期サウンディングリファレンス信号をトリガーする方法、基地局及びユーザ装置に関する。
【背景技術】
【０００２】
サウンディングリファレンス信号（SRS：Sounding  Reference  Signal)は、ユーザ装置(UE：User  Equipment)と基地局（eNB：e-NodeB)との間において上りリンク無線チャネル状態情報(CSI：Channel  State  Information)を測定するための信号である。
【０００３】
ロング・ターム・エボリューション（LTE：Long-Term  Evolution)システムでは、ユーザ装置UEは、基地局eNBが指示した送信用帯域幅、周波数領域の開始位置、巡回シフト（CS：Cyclic  Shift）、周期及びサブフレームオフセット等のパラメータに従って、定期的に、サブフレームを送信する最後の一つのデータシンボルにおいて上りサウンディングリファレンス信号SRSを送信する。基地局eNBは、受信したサウンディングリファレンス信号SRSに基づいて、該ユーザ装置UEからのチャネル状態情報CSIを判断し、そして、取得したチャネル状態情報CSIに基づいて、周波数領域の選択スケジューリング、閉ループ送信電力制御等の操作を行う。
【０００４】
ロング・ターム・エボリューション・アドバンスLTE-A(Long-Term  Evolution-Advanced)では、サウンディングリファレンス信号SRSのリソースの利用率を改善し、リソースのスケジューリングの柔軟性を向上させるために、非周期サウンディングリファレンス信号SRSのメカニズムをも導入している。ここでは、説明の便宜のため、周期的に送信するサウンディングリファレンス信号SRSを周期サウンディングリファレンス信号SRSと称し、非周期的に送信するサウンディングリファレンス信号SRSを非周期サウンディングリファレンス信号SRSと称する。今のところ、基地局が送信した上り伝送用の下り制御情報（DCI：Downlink  Control  Information)によりトリガーを行い、即ち、DCI  format  0及びDCI  format  4により、ユーザ装置に、非周期サウンディングリファレンス信号SRSを送信するかどうかを通知する。そのうち、基地局eNBは、無線リソース制御（RRC：Radio  Resource  Control)層のシグナリングにより、ユーザ装置UEのために、非周期SRSを送信するのに用いるリソースセットを構成することができる。
【０００５】
LTE及びLTE-Aシステムでは、次の二つの場合に、上りデータ伝送を行うために、ユーザ装置UEは、まず、ランダムアクセスを行う必要があり、即ち、1)ユーザ装置UEの上りタイム・アドバンス・タイマー（TAT：Time  Advance  Timer)がタイムアウトした後；2)ユーザ装置UEが物理上り制御チャネル（PUCCH：Physical  Uplink  Control  Channel)において基地局に送信しているスケジューリング要求（SR：Scheduling  Request)が最大伝送回数に達した後；との二つの場合である。ランダムアクセスが成功した後に、基地局eNBは、ユーザ装置UEのために、上りデータを送信するための上りリソースをスケジューリングすることができる。
【０００６】
ユーザ装置UEが上りデータ伝送を行うのに必要な上り物理リソースを有効にスケジューリングし得るために、基地局eNBは、まず、ユーザ装置UEの上りチャネル状態情報CSIを取得する必要がある。今のところ、ユーザ装置UEの上りチャネル状態情報CSIを取得するために、基地局は、ユーザ装置UEが送信した周期SRSでしかチャネル推定を行うことができない。しかしながら、上述の二つの場合が発生した後に、ユーザ装置UEは、周期SRSのリソースをリリースする。よって、今のところ、実行可能な方法は、基地局eNBは、無線リソース制御RRC層のシグナリングにより、該ユーザ装置UEのために、周期サウンディングリファレンス信号SRSを送信するためのリソースを構成する必要があるとのことである。その後、該ユーザ装置UEは、周期サウンディングリファレンス信号SRSをすぐに送信するのではなく、送信時刻の到来を待って、予め構成されたこの送信時刻に、基地局eNBに該周期サウンディングリファレンス信号SRSを送信するのである。基地局eNBは、該周期サウンディングリファレンス信号SRSを受信した後に、該サウンディングリファレンス信号SRSに基づいて、上りチャネル状態情報CSIを取得し、そして、該チャネル状態情報CSIに基づいて、リソースのスケジューリングを行う。
【０００７】
発明者は、本発明の実現過程において、従来技術の次のような欠点を見つけ出した。即ち、基地局は、まず、無線リソース制御RRC層のシグナリングによりユーザ装置UEのために周期SRSを送信するためのリソースを構成する必要があると同時に、送信時刻の到来まで待って該送信時刻に基地局eNBにサウンディングリファレンス信号SRSを送信する必要もあるので、基地局eNBは、上りチャネル状態情報CSIを取得する時間遅延が比較的大きく、これにより、送信する必要のある上りデータが存在する場合に、ユーザ装置UEのためのリソーススケジューリングを迅速に行うことができない。また、LTE-Aシステムでは、上述の場合に、非周期サウンディングリファレンス信号SRSを用いてチャネル状態情報を取得するという方法を有効に利用していない。
【発明の概要】
【発明が解決しようとする課題】
【０００８】
本発明の実施例の目的は、非周期サウンディングリファレンス信号をトリガーする方法、基地局及びユーザ装置を提供することにある。ユーザ装置UEは、TATがタイムアウトした後、又は、PUCCHにおいてスケジューリング要求SRの送信が失敗した（スケジューリング要求の送信回数が最大値に達した）後に、基地局が該ユーザ装置UEのために構成した非周期サウンディングリファレンス信号SRSの送信に用いるリソースをリリースせず、また、該リソースを用いて基地局に該非周期サウンディングリファレンス信号SRSを送信することもでき、これにより、該基地局は、ユーザ装置UEの上りチャネル状態情報CSIを迅速に取得し、そして、ユーザ装置UEの上りデータ伝送のためのリソーススケジューリングを迅速に行うことができる。
【課題を解決するための手段】
【０００９】
本発明の実施例の一側面によれば、非周期サウンディングリファレンス信号をトリガーする方法が提供される。該方法は、
ユーザ装置が同期を失えば、又は、ユーザ装置から基地局へのスケジューリング要求の送信が失敗すれば、前記ユーザ装置は、前記基地局が前記ユーザ装置のために構成した非周期サウンディングリファレンス信号の送信に用いるリソースをリリースせず；
前記ユーザ装置により、ランダムアクセスプロセスを実行し；及び
前記ランダムアクセスが成功すれば、前記ユーザ装置は、前記基地局が送信した、前記ユーザ装置に、前記非周期サウンディングリファレンス信号の送信を指示するための指示情報に基づいて、前記基地局が前記ユーザ装置のために構成した前記非周期サウンディングリファレンス信号の送信に用いる未リリースの前記リソースにより、前記非周期サウンディングリファレンス信号を送信することを含む。
【００１０】
本発明の実施例の他の側面によれば、非周期サウンディングリファレンス信号をトリガーする方法が提供される。該方法は、
ユーザ装置が同期を失えば、又は、ユーザ装置から基地局へのスケジューリング要求の送信が失敗すれば、前記ユーザ装置は、前記基地局が前記ユーザ装置のために構成した非周期サウンディングリファレンス信号の送信に用いるリソースをリリースせず；
前記ユーザ装置により、ランダムアクセスプロセスを実行し；
前記ユーザ装置は、前記基地局が送信したランダムアクセスレスポンスメッセージに含まれた、ユーザ装置に、非周期サウンディングリファレンス信号を送信するかどうかを指示するための指示情報のタイプに基づいて、前記非周期サウンディングリファレンス信号を送信するかどうかを確定し；及び
前記ユーザ装置により、前記非周期サウンディングリファレンス信号を送信すると確定すれば、前記ユーザ装置は、前記基地局が前記ユーザ装置のために構成した非周期サウンディングリファレンス信号の送信に用いる未リリースの前記リソースにより、前記非周期サウンディングリファレンス信号を送信することを含む。
【００１１】
本発明の実施例の他の側面によれば、非周期サウンディングリファレンス信号をトリガーする方法が提供される。該方法は、
基地局がユーザ装置にランダムアクセスプロセスのランダムアクセスレスポンスメッセージを送信することであって、前記ランダムレスポンスメッセージには、ユーザ装置に、非周期サウンディングリファレンス信号を送信するかどうかを指示するための指示情報が含まれており、前記ユーザ装置は、前記指示情報のタイプに基づいて、非周期サウンディングリファレンス信号を送信するかどうかを確定することを含む。
【００１２】
また、本発明の実施例の一側面によれば、ユーザ装置が提供される。該ユーザ装置は、
前記ユーザ装置が同期を失った、又は、前記ユーザ装置から基地局へのスケジューリング要求の送信が失敗したときに、前記基地局が前記ユーザ装置のために構成した非周期サウンディングリファレンス信号の送信に用いるリソースをリリースしないための第一リソース処理ユニット；
ランダムアクセスプロセスを実行するための第一ランダムアクセスユニット；及び
前記ランダムアクセスが成功した時に、前記基地局が送信した、前記ユーザ装置に、非周期サウンディングリファレンス信号の送信を指示するための指示情報に基づいて、前記基地局が前記ユーザ装置のために構成した非周期サウンディングリファレンス信号の送信に用いる未リリースの前記リソースにより、前記非周期サウンディングリファレンス信号を送信するための第一情報送信ユニットを含む。
【００１３】
本発明の実施例の他の側面によれば、ユーザ装置が提供される。該ユーザ装置は、
前記ユーザ装置が同期を失った、又は、前記ユーザ装置から基地局へのスケジューリング要求の送信が失敗したときに、前記基地局が前記ユーザ装置のために構成した非周期サウンディングリファレンス信号の送信に用いるリソースをリリースしないための第二リソース処理ユニット；
ランダムアクセスプロセスを実行するための第二ランダムアクセスユニット；
前記基地局が送信したランダムアクセスレスポンスメッセージに含まれた、前記ユーザ装置に、前記非周期サウンディングリファレンス信号を送信するかどうかを指示するための指示情報のタイプに基づいて、前記非周期サウンディングリファレンス信号を送信するかどうかを確定するための第一確定ユニット；及び
前記ユーザ装置により、非周期サウンディングリファレンス信号を送信すると確定したときに、前記基地局が前記ユーザ装置のために構成した前記非周期サウンディングリファレンス信号の送信に用いる未リリースの前記リソースにより、前記非周期サウンディングリファレンス信号を送信するための第二情報送信ユニットを含む。
【００１４】
また、本発明の実施例の一側面によれば、基地局が提供される。該基地局は、
ユーザ装置が送信したランダムアクセスプリアンブルを受信するための第三受信ユニット；
予め構成されたランダムアクセスレスポンスメッセージのフォーマット、又は、予め構成された、ランダムアクセスのタイプに対応するランダムアクセスレスポンスメッセージのフォーマットに基づいて、対応するランダムアクセスレスポンスメッセージを生成するためのメッセージ生成ユニットであって、前記ランダムレスポンスメッセージには、前記ユーザ装置に、非周期サウンディングリファレンス信号を送信するかどうかを指示するための指示情報が含まれる、メッセージ生成ユニット；及び
前記ユーザ装置に前記ランダムアクセスレスポンスメッセージを送信し、前記ユーザ装置に、前記ランダムアクセスレスポンスメッセージに含まれた前記指示情報のタイプに基づいて、非周期サウンディングリファレンス信号を送信するかどうかを確定させるためのメッセージ送信ユニットを含む。
【００１５】
また、本発明の実施例の一側面によれば、コンピュータ読み取り可能なプログラムが提供される。ユーザ装置において前記プログラムを実行するときに、前記プログラムは、コンピュータに、前記ユーザ装置において、上述の非周期サウンディングリファレンス信号をトリガーする方法を実行させる。
【００１６】
また、本発明の実施例の一側面によれば、コンピュータ読み取り可能なプログラムを記録した記憶媒体が提供される。前記コンピュータ読み取り可能なプログラムは、コンピュータに、ユーザ装置において、上述の非周期サウンディングリファレンス信号をトリガーする方法を実行させる。
【００１７】
また、本発明の実施例の一側面によれば、コンピュータ読み取り可能なプログラムが提供される。基地局において前記プログラムを実行するときに、前記プログラムは、コンピュータに、前記基地局において、上述の非周期サウンディングリファレンス信号をトリガーする方法を実行させる。
【００１８】
また、本発明の実施例の一側面によれば、コンピュータ読み取り可能なプログラムを記録した記憶媒体が提供される。前記コンピュータ読み取り可能なプログラムは、コンピュータに、基地局において、上述の非周期サウンディングリファレンス信号をトリガーする方法を実行させる。
【００１９】
本発明の実施例の有益な効果は、ユーザ装置UEは、TATがタイムアウトした後、又は、PUCCHにおいてスケジューリング要求SRの送信が失敗した（スケジューリング要求の送信回数が最大値に達して）後に、基地局が該ユーザ装置のために構成した非周期サウンディングリファレンス信号SRSの送信に用いるリソースをリリースせず、また、該基地局が送信した、該ユーザ装置に、非周期SRSの送信を指示するための指示情報を受信した後に、該指示情報に基づいて、未リリースの予め構成された該リソースにより、該基地局に、該非周期サウンディングリファレンス信号SRSを送信することもでき、これにより、該基地局は、該ユーザ装置UEの上りチャネル状態情報CSIを迅速に取得し、そして、該ユーザ装置UEの上りデータ伝送のためのリソーススケジューリングを迅速に行うことができる。
【００２０】
後述の説明及び図面には、本発明の特定の実施形態を詳細に開示し、本発明の原理及び採用可能な方式を詳しく記載する。なお、理解すべきは、本発明の実施形態は、範囲上では、それにより限定されることがないとのことである。また、添付した特許請求の範囲の精神及び技術的範囲内では、本発明の実施形態は、あらゆる変更、修正及び代替を含んでもよい。
【００２１】
また、一つの実施形態についての説明及び/又は特徴は、同じ又は類似する方式で一つ以上の他の実施形態に使用し、他の実施形態における特徴と組み合わせ、又は、他の実施形態における特徴を置換することができる。
【００２２】
また、強調すべきは、“包括（有する）/含む”という語は、本文に使用する時に、特徴、装置、ステップ又はアセンブリの存在を指すが、一つ以上の他の特徴、装置、ステップ又はアセンブリの存在又は付加を排除しないとのことである。
【図面の簡単な説明】
【００２３】
【図１】本発明の実施例1による非周期サウンディングリファレンス信号のトリガー方法のフローチャートである。
【図２Ａ】競合ランダムアクセスプロセスのフローチャートである。
【図２Ｂ】非競合ランダムアクセスプロセスのフローチャートである。
【図３】本発明の実施例2によるユーザ装置の構成図である。
【図４】本発明の実施例3による非周期サウンディングリファレンス信号のトリガー方法のフローチャートである。
【図５】本発明の実施例3におけるステップ403を実現するフローチャートその1である。
【図６】本発明の実施例3におけるステップ403を実現するフローチャートその2である。
【図７】本発明の実施例4による非周期サウンディングリファレンス信号のトリガー方法のフローチャートである。
【図８】従来技術におけるRARメッセージのフォーマットを示す図である。
【図９】RARメッセージにおける予備ビット"R"を用いて指示情報をキャリーするRARメッセージのフォーマットを示す図である。
【図１０】RARのULグラントフィールドに追加されたビットを用いて指示情報をキャリーするRARメッセージのフォーマットを示す図である。
【図１１】本発明の実施例5による非周期サウンディングリファレンス信号のトリガー方法のフローチャートである。
【図１２】本発明の実施例6による非周期サウンディングリファレンス信号のトリガー方法のフローチャートである。
【図１３】本発明の実施例7によるユーザ装置の構成図である。
【図１４】本発明の実施例7における第一確定ユニットの構成図その1である。
【図１５】本発明の実施例7における第一確定ユニットの構成図その2である。
【図１６】本発明の実施例8による基地局の構成図である。
【発明を実施するための形態】
【００２４】
以下、添付した図面を参照しながら、本発明の各種の実施形態について説明する。なお、これらの実施形態は、例示的なものだけであり、本発明を限定するためのものではない。また、当業者が本発明の原理及び実施形態を容易に理解し得るために、本発明の実施形態は、ロング・ターム・エボリューション・アドバンス(LTE-A：Long-Term  Evaluation  Advanced)システムにおける非周期サウンディングリファレンス信号SRSのトリガーを例として紹介するが、理解すべきは、本発明は、該システムに限定されず、非周期サウンディングリファレンス信号SRSのトリガーに関する任意のシステムにも適用するとのことである。
【００２５】
図1は、本発明の実施例1による非周期サウンディングリファレンス信号のトリガー方法のフローチャートである。図1に示すように、該方法は、次のようなステップを含む。
【００２６】
ステップ101：ユーザ装置UEが同期を失えば、又は、ユーザ装置UEが行った基地局へのスケジューリング要求SRの送信が失敗すれば、該ユーザ装置UEは、該基地局が該ユーザ装置UEのために構成した非周期サウンディングリファレンス信号SRSの送信に使用するリソースをリリースしない。
【００２７】
ステップ102：該ユーザ装置UEは、ランダムアクセスプロセスを実行する。
【００２８】
ステップ103：ランダムアクセスが成功すれば、該ユーザ装置UEは、該基地局が送信した、ユーザ装置UEに、非周期サウンディングリファレンス信号SRSの送信を指示するための指示情報に基づいて、該基地局が該ユーザ装置UEのために構成した非周期サウンディングリファレンス信号SRSの送信に使用する未リリースのリソースにおいて、非周期サウンディングリファレンス信号SRSを送信する。
【００２９】
本実施例では、ステップ101において、ユーザ装置UEの上り同期維持用のTATがタイムアウトした時に、該ユーザ装置UEが同期を失ったと確定することができる。ユーザ装置UEが上り同期を維持し且つ上りデータを伝送する必要がある時に、基地局に、該上りデータを伝送するための上りリソースを要求するスケジューリング要求を送信し、該スケジューリング要求SRの送信回数が所定値を超えても基地局により割り当てられた上りリソースをまだ取得していなければ、該ユーザ装置UEのスケジューリング要求の送信が失敗したと確定することができる。
【００３０】
ステップ101において、上述の状況が発生した時に、ユーザ装置UEは、非周期SRSの送信に使用するリソースをリリースせず、また、基地局が送信した、非周期SRSの送信を指示するための指示情報を受信した時に、該リソースを利用して非周期SRSを送信し、これにより、該基地局は、ユーザ装置UEの上りチャネル状態情報CSIを迅速に得ることができ、そして、ユーザ装置UEの上りデータ伝送のためのリソーススケジューリングを迅速に行うことができる。
【００３１】
本実施例では、ステップ101において、ユーザ装置UEが同期を失った、且つ、ユーザ装置UEが基地局に上りデータを伝送する必要がある時に、ユーザ装置UEは、ランダムアクセスプロセスを実行し、上り同期を取得し及び基地局に、上りデータ伝送のニーズがあることを通知する必要がある。また、ステップ101において、上り同期を維持するユーザ装置UEが行った基地局へのスケジューリング要求SRの送信が失敗した時に、ユーザ装置UEは、ランダムアクセスプロセスを実行し、基地局に、上りデータ伝送のニーズがあることを通知する必要がある。
【００３２】
このようにして、ステップ101において上述の状況が発生した時に、ステップ102において、ユーザ装置UEは、ランダムアクセスプロセスを実行し、そのうち、該ランダムアクセスプロセスは、非競合ランダムアクセスであってもよく、競合ランダムアクセスであってもよく、また、そのプロセスは、従来技術に類似する。以下、図2A及び図2Bを参照して、競合及び非競合ランダムアクセスプロセスについて簡単に説明する。
【００３３】
図2Aは、本発明実施例1における競合ランダムアクセスプロセスのフローチャートである。競合ランダムアクセスプロセスでは、ユーザ装置UE又は基地局によりランダムアクセスをトリガーすることができるが、ここでは、ユーザ装置UEによりランダムアクセスをトリガーすることを例として説明を行う。図2Aに示すように、次のようなステップを含む。
【００３４】
ステップ201：ユーザ装置UEが基地局にランダムアクセスプリアンブルPreambleを送信する。
【００３５】
ステップ202：該基地局は該ランダムアクセスプリアンブルPreambleを受信し、該ユーザ装置UEにランダムアクセスレスポンス（RAR：Random  Access  Response)メッセージを返す。
【００３６】
そのうち、該RARメッセージは、上り同期用の時間調整情報、最初の上りリソースの割り当て情報（ユーザ装置が後続のMsg3を送信する)、及びセル無線ネットワーク一時識別子C-RNTI等の情報を含んでもよい。
【００３７】
ステップ203：該ユーザ装置UEは、該RARメッセージを受信した後に、上り時間同期及び上りリソースを取得する。しかし、この時に、該RARメッセージを該ユーザ装置UEに送信するかそれとも他のユーザ装置に送信するかを確定することができないので、該ユーザ装置UEは、該基地局にMsg3メッセージを送信し、上述のランダムアクセス衝突を解決し、且つ、該ユーザ装置UEは、その同時に、衝突解決タイマー(mac-Contention  Resolution  Timer)を起動する。
【００３８】
そのうち、該Msg3メッセージには、異なるユーザ装置を区分するためのユーザ装置UEの識別情報がキャリー（Carry）されている。
【００３９】
ステップ204：該ユーザ装置UEは、衝突解決タイマーが未タイムアウトである（タイムアウトしない）うちに、基地局から返された衝突解決（Contention  Resolution)メッセージを受信すれば、該ユーザ装置UEは、今回のランダムアクセスが成功したと確定し、そうでなければ、ランダムアクセスプロセスが失敗したと確定することができる。
【００４０】
図2Bは、本発明の実施例1における非競合ランダムアクセスプロセスのフローチャートである。そのうち、非競合ランダムアクセスプロセスは、基地局によりトリガーされる。基地局は、予めユーザ装置UEに、特定の無衝突のランダムアクセスプリアンブルシーケンス及びリソースを用いてアクセスを行うことを通知し、このようにして、発生可能な衝突を避け、ランダムアクセスの時間延遅を低減することができる。衝突の問題を解決する必要がないので、非競合ランダムアクセスプロセスは、相対的に簡単である。図2Bに示すように、次のようなステップを含む。
【００４１】
ステップ201'：基地局が、ユーザ装置UEに、特定の無衝突のランダムアクセスプリアンブルシーケンス及びリソースを使用することを通知する。
【００４２】
ステップ202'：該ユーザ装置UEは、該基地局から通知された特定のランダムアクセスプリアンブルシーケンスを用いて該基地局に、特定の無衝突のランダムアクセスプリアンブルPreamb1eを送信する。
【００４３】
ステップ203′：該基地局は、該ランダムアクセスプリアンブルPreambleを受信し、該プリアンブルに基づいて、該ユーザ装置UEが行うべき非競合ランダムアクセスを確定し、そして、該ユーザ装置UEに、ランダムアクセスレスポンス(RAR：Random  Access  Response)メッセージを返すことができる。
【００４４】
そのうち、該RARメッセージには、上り同期用の時間調整情報、ユーザ装置UEのために割り当てられた上りデータ伝送に必要なリソース、及びセル無線ネットワーク一時識別子C-RNTI等の情報が含まれてもよい。
【００４５】
本実施例では、ステップ102において、ユーザ装置UEが行ったランダムアクセスが成功した時に、ステップ103において、該ユーザ装置UEが、基地局により送信された、ユーザ装置UEに、非周期サウンディングリファレンス信号SRSの送信を指示するための指示情報を受信した時に、未リリースのリソースにて、非周期サウンディングリファレンス信号SRSを送信する。このようにして、基地局は、ユーザ装置UEの上りチャネル状態情報CSIを迅速に取得し、そして、ユーザ装置UEの上りデータ伝送のためのリソーススケジューリングを迅速に行うことができる。
【００４６】
本実施例では、ユーザ装置UEが非周期サウンディングリファレンス信号SRSを送信することを要する時に、基地局が、物理下り制御情報（DCI：Downlink  Control  Information)により、非周期SRSの送信をユーザ装置UEに指示するための指示情報を送信し、且つ該物理下り制御情報DCIが、物理下り制御チャネル（PDCCH：Physical  Downlink  Control  Channel)により送信される。また、物理下り制御情報DCIのPDCCH上のキャリーフォーマットは、下り制御情報フォーマット（DCI  format：Downlink  Control  Information  format)と称される。LTEシステムでは、DCI  formatは、DCI  format0、format1、formatlA、formatlB、formatlC、formatID、format2、format2A、format3、format3A等の10種類に分けられる。LTE-Aシステムでは、上述の10種類のDCI  formatを含む以外に、DCI  format4をも更に含む。
【００４７】
本実施例では、基地局は、DCI  format0又はDCI  format4により、ユーザ装置UEが非周期SRSを送信することをトリガーすることができる。
【００４８】
DCI  format0により、ユーザ装置UEが非周期SRSを送信することをトリガーする時に、DCI  format0には、一つの新しいbitが追加される。基地局は、この新しく追加されたbitにより、ユーザ装置UEが非周期SRSを送信することをトリガーすることができる。例えば、該bitが1である時に、ユーザ装置UEに非周期SRSの送信を指示する。該非周期SRSの送信に必要なリソースセットは、予め上位層シグナリング、即ち、無線リソース制御（RRC：Radio  Resource  Control)プロトコールにより構成される。且つ、一つのみのリソースセットは、選択の用に供し得る。該bitが0である時に、非周期SRSを送信しないことをユーザ装置UEに通知する。
【００４９】
次の表は、本発明の実施例のLTEシステムにおけるDCI  format0のキャリー情報及長さを示し、そのうち、上述の指示情報をキャリーするbitは、１bitである。
【表１】
0005958618.tif 000002
【００５０】
DCI  format4により、ユーザ装置UEが非周期SRSを送信することをトリガーする時に、DCI  format4には、上述の指示情報をキャリーするための２bitが設置される。そのうち、一つの状態、例えば、"00"は、ユーザ装置UEが非周期SRSを送信することを要しないことを指示し、他の三つの状態"01/10/11"は、ユーザ装置UEが非周期SRSを送信することを要すること、及び、使用すべきリソースを指示する。そのうち、非周期SRSの送信に必要なリソースセットは、予めRRCシグナリングにより構成され、且つ、同時に三つのリソースセットを構成することができる。DCI  format4において非周期SRSをトリガーするための三つの状態は、それぞれ、トリガー後に非周期SRSを送信するのに使用する三つのリソースセットに対応する。
【００５１】
次の表は、本発明の実施例のLTE-AシステムにおけるDCI  format4のキャリー情報及長さを示し、そのうち、上述の指示情報をキャリーするビットは、２bitである。
【表２】
0005958618.tif 000003
【００５２】
このようにして、ユーザ装置UEは、基地局が送信した下り制御情報DCI  format0又はDCI  format4を受信した後に、その中から指示情報を読み取ることができ、該ユーザ装置UE、該指示情報が、ユーザ装置UEに非周期SRSの送信を指示するためのものであると確定する時に、未リリースのリソースにおいて該非周期SRSを送信する。
【００５３】
本実施例では、DCI  format0及びDCI  format4を用いて、ユーザ装置UEに非周期SRSの送信を指示する以外に、他のフォーマットの下り制御情報を用いて、ユーザ装置UEに非周期SRSの送信を指示することもでき、例えば、DCI  format1A等を用いて、非周期SRSの送信を指示し、指示の方式は、DCI  format0及びDCI  format4と類似するので、ここでは、その説明を略す。なお、これに限定されず、他の任意の情報を用いてキャリーすることもできる。
【００５４】
上述の実施例から分かるように、ユーザ装置UEは、TATがタイムアウトした、又は、PUCCHにてのスケジューリング要求SRの送信が失敗した（スケジューリング要求の送信回数が最大値に達した）後に、基地局が該ユーザ装置のために構成した非周期サウンディングリファレンス信号SRSの送信用のリソースをリリースせず、また、そのランダムアクセスが成功し、且つ、該基地局が送信した、該ユーザ装置に、非周期SRSの送信を指示するための指示情報を受信した後に、該指示情報に基づいて、未リリースの上述のリソースにより、該基地局に、該非周期サウンディングリファレンス信号SRSを送信することもできる。これにより、該基地局は、ユーザ装置UEの上りチャネル状態情報CSIを迅速に取得し、そして、ユーザ装置UEの上りデータ伝送のためのリソーススケジューリングを迅速に行うことができる。
【００５５】
本発明の実施例は、次の実施例2に記載のように、ユーザ装置をも提供する。該ユーザ装置が問題を解決する原理は、上述のユーザ装置に基づく非周期サウンディングリファレンス信号のトリガー方法の原理と類似し、該ユーザ装置の実施は、上述の方法の実施を参照することができるので、ここでは、その重複した説明を略す。
【００５６】
図3は、本発明の実施例2によるユーザ装置の構成図である。図3に示すように、該ユーザ装置は、第一リソース処理ユニット301、第一ランダムアクセスユニット302及び第一情報送信ユニット303を含む。
【００５７】
第一リソース処理ユニット301は、ユーザ装置UEが同期を失った、又は、ユーザ装置UEから基地局へのスケジューリング要求SRの送信が失敗した時に、基地局が該ユーザ装置UEのために構成した非周期サウンディングリファレンス信号SRSの送信に使用するリソースをリリースしないために用いられる。
【００５８】
第一ランダムアクセスユニット302は、ランダムアクセスプロセスを実行するために用いられ、そのうち、該ランダムアクセスユニット302と基地局との間の交互プロセスは、実施例1及び図面2A及び2Bに示すようであるので、ここでは、その説明を略す。
【００５９】
第一情報送信ユニット303は、該ランダムアクセスが成功した時に、該基地局が送信した、ユーザ装置に、非周期サウンディングリファレンス信号SRSの送信を指示するための指示情報に基づいて、未リリースの、非周期サウンディングリファレンス信号SRSの送信に使用するリソース上で、非周期サウンディングリファレンス信号SRSを送信するために用いられる。
【００６０】
そのうち、基地局が送信した指示情報は、DCI  format0又はDIC  format4又はDCI  format1Aによりキャリーされ得るが、これに限定されず、実施例1に記載のように、他の任意の情報によりキャリーされてもよいので、ここでは、その説明を略す。
【００６１】
上述の実施例から分かるように、ユーザ装置UEは、TATがタイムアウトした、又は、PUCCH上でのスケジューリング要求SRの送信が失敗した（スケジューリング要求の送信回数が最大値に達した）後に、基地局が該UEのために構成した、非周期サウンディングリファレンス信号SRSの送信用のリソースをリリースせず、また、そのランダムアクセスが成功し、且つ、該基地局が送信した、該UEに非周期SRSの送信を指示するための指示情報を受信した後に、該指示情報に基づいて、未リリースのリソースにより、該基地局に該非周期サウンディングリファレンス信号SRSを送信することもできる。これにより、該基地局は、該ユーザ装置UEの上りチャネル状態情報CSIを迅速に取得し、そして、該ユーザ装置UEの上りデータ伝送のためのリソーススケジューリングを迅速に行うことができる。
【００６２】
図4は、本発明の実施例3による非周期サウンディングリファレンス信号のトリガー方法のフローチャートである。図4に示すように、該方法は、次のステップを含む。
【００６３】
ステップ401：ユーザ装置UEが同期を失った、又は、ユーザ装置UEが行った基地局へのスケジューリング要求SRの送信が失敗した場合、該ユーザ装置UEは、基地局が該ユーザ装置UEのために構成した非周期サウンディングリファレンス信号SRSの送信に使用するリソースをリリースしない。
【００６４】
ステップ402：該ユーザ装置UEは、ランダムアクセスプロセスを実行し、そのうち、該ユーザ装置UEは、競合又は非競合ランダムアクセスプロセスを実行してもよく、そのプロセスは、実施例1の図2A及び2Bに示すように、該ユーザ装置UEが自発的にトリガーした、又は、基地局によりトリガーされた場合に、基地局にランダムアクセスプリアンブルを送信する。
【００６５】
ステップ403：該ユーザ装置UEは、ランダムアクセスプロセスにおいて該基地局が返したランダムアクセスレスポンスメッセージに含まれた、ユーザ装置UEに、非周期サウンディングリファレンス信号を送信するかどうかを指示するための指示情報のタイプに基づいて、非周期サウンディングリファレンス信号SRSを送信するかどうかを確定する。
【００６６】
ステップ404：該ユーザ装置UEは、非周期サウンディングリファレンス信号SRSを送信すると確定すれば、該ユーザ装置UEは、未リリースの、該基地局が該ユーザ装置UEのために構成した非周期サウンディングリファレンス信号SRSの送信に使用するリソース上で、非周期サウンディングリファレンス信号SRSを送信する。
【００６７】
本実施例では、ステップ401において、ユーザ装置UEが同期を失った、且つユーザ装置UEが基地局に上りデータを伝送する必要があるときに、ランダムアクセスプロセスを実行し、上り同期を取得し及び基地局に上りデータ伝送のニーズがあることを通知する必要がある。また、ステップ401において、上り同期を維持するユーザ装置UEが行った基地局へのスケジューリング要求SRの送信が失敗したときに、ランダムアクセスプロセスを実行し、基地局に上りデータ伝送のニーズがあることを通知する必要がある。このようにして、ステップ401において、上述の状況が発生したときに、ステップ402において、ユーザ装置UEはランダムアクセスプロセスを実行し、該ユーザ装置UEは基地局にランダムアクセスプリアンブルを送信する。基地局は、該ランダムアクセスプリアンブルを受信した後に、該ユーザ装置UEに非周期SRSの送信を指示するための指示情報を含むRARメッセージを生成して返すことができ、そのプロセスは、後述する。そのうち、基地局は、該ユーザ装置UEが非周期サウンディングリファレンス信号を送信することを要すると確定すれば、該指示情報は、ユーザ装置UEに非周期SRSの送信を指示するために用いられ、そうでなければ、該指示情報は、ユーザ装置UEに非周期SRSを送信しないことを指示するために用いられる。
【００６８】
このようにして、ステップ403において、該ユーザ装置UEは、該RARメッセージを受信した時に、該指示情報を読み取ることができ、そして、該指示情報のタイプに基づいて、非周期SRSの送信の要否を確定することができる。具体的な確定プロセスについては、次のように、図5及び図6を参照して説明を行う。
【００６９】
本実施例では、該RARメッセージに含まれる指示情報は、該ランダムアクセスレスポンスメッセージにおける予備ビットRによりキャリーされ、又は、新しく追加されたビットによりキャリーされ、この場合は、ULグラント（UL  Grant)フィールドに、該指示情報をキャリーするためのビット（bit）を新しく追加することができ、しかし、この場合は、該RARメッセージにおける総ビット数の不変を維持する必要がある。
【００７０】
そのうち、ビット数が1であってもよく、例えば、該１bitに対応する状態が"1"である時に、ユーザ装置UEに非周期SRSの送信を指示することを表し、該１bitに対応する状態が"0"である時に、ユーザ装置UEに非周期SRSを送信しないことを指示することを表す。なお、上述のbitに限定されず、他のbitにより該指示情報をキャリーしてもよい。
【００７１】
上述から分かるように、異なるキャリー方式を採用するため、該RARメッセージは、異なるフォーマットに対応することができ、異なるフォーマットのRARメッセージは、異なる処理方式に対応する。
【００７２】
そのうち、該RARメッセージのフォーマットは、予め基地局により構成され、ユーザ装置UEに通知することができ、これにより、ユーザ装置UEは、該RARメッセージを受信した時に、構成されたフォーマットに基づいてそれ相応の処理を行うことができる。
【００７３】
或いは、予め基地局により、ランダムアクセスタイプに基づいて、対応するRARメッセージのフォーマットを構成し、該ユーザ装置UEに通知してもよく、これにより、該ユーザ装置UEは、該RARメッセージを受信した時に、構成された、ランダムアクセスタイプに対応するフォーマットに基づいてそれ相応の処理を行うことができる。
【００７４】
この場合、従来技術との交換性の問題を考慮して、基地局は、非競合ランダムアクセスプロセスに対応するランダムアクセスレスポンスメッセージのフォーマットのみを構成し、ユーザ装置UEに通知してもよく、これにより、ユーザ装置UEは、非競合ランダムアクセスの場合に、予め構成された、非競合ランダムアクセスプロセスに対応するランダムアクセスレスポンスメッセージのフォーマットを用いて、受信したRARメッセージに対して処理を行うことができる。競合ランダムアクセスプロセスに対応するランダムアクセスレスポンスメッセージのフォーマットに関しては、ユーザ装置UEとともに、デフォルトの方式、即ち、元のフォーマットを採用することを約束することができる。
【００７５】
本実施例では、該方法は、次の準備プロセス、即ち、該基地局が該ユーザ装置UEのために構成した非周期サウンディングリファレンス信号SRSの送信に使用するリソース情報を受信するステップを更に含んでもよい。
【００７６】
或いは、次のステップを更に含んでもよく、即ち、該ユーザ装置UEは、基地局が該ユーザ装置UEのために構成した該ランダムアクセスレスポンスメッセージのフォーマットを受信し、又は、該基地局が該ユーザ装置UEのために構成した、ランダムアクセスプロセスのタイプに対応するランダムアクセスレスポンスメッセージのフォーマットを受信するステップである。
【００７７】
図5は、本発明の実施例3におけるステップ403を実現するフローチャートその１である。そのうち、RARメッセージのフォーマットは、予め基地局により構成され、ユーザ装置UEに通知されたものであり、これにより、該ユーザ装置UEは、該RARメッセージを受信した時に、構成されたフォーマットに基づいてそれ相応の処理を行う。図5に示すように、次のようなステップを含む。
【００７８】
ステップ501：該ユーザ装置UEは、該基地局により、該ユーザ装置UEが送信したランダムアクセスプリアンブルに基づいて返されたRARメッセージを受信する。
【００７９】
そのうち、該RARメッセージは、ユーザ装置UEに、非周期サウンディングリファレンス信号SRSを送信するかどうかを指示するための指示情報を含み、そのうち、競合ランダムアクセスプロセスであっても非競合ランダムアクセスプロセスであっても、基地局は、該RARメッセージを生成する時に、該RARメッセージのフォーマットは、すべて、基地局が予め構成したフォーマットを採用する。
【００８０】
例えば、該RARメッセージのフォーマットは、該指示情報が該ランダムアクセスレスポンスメッセージにおける予備ビットR又は新しく追加されたビットによりキャリーされるフォーマットであってもよい。
【００８１】
競合ランダムアクセスプロセスに関しては、該基地局がRARメッセージを生成する時に、該RARメッセージにおける指示情報を"0"に設定し；非競合ランダムアクセスプロセスに関しては、該基地局がRARメッセージを生成する時に、基地局が、ユーザ装置UEが非周期SRSを送信する必要があると確定すれば、指示情報を"1"に設定し、そうでなければ、指示情報を"0"に設定する。
【００８２】
ステップ502：予め構成されたRARメッセージのフォーマットに基づいて、該RARメッセージに対してそれ相応の処理を行い、該RARメッセージに含まれている指示情報を取得する。
【００８３】
そのうち、該RARメッセージに対して処理を行うこととは、該RARメッセージに対してデコーディングを行うことを指す。
【００８４】
ステップ503：該指示情報のタイプが非周期サウンディングリファレンス信号SRSの送信のための指示情報であるかどうかを判断し；結果が「はい」であると判断すれば、ステップ504を実行し、そうでなければ、ステップ505を実行し;そのうち、例えば、該指示情報が"1"であれば、非周期SRSを送信することを表し;該指示情報が"0"であれば、非周期SRSを送信しないことを表す。
【００８５】
なお、上述の指示情報は、本発明の実施例のみであり、それ以外は、他の任意の識別子により表しもよい。
【００８６】
ステップ504：ステップ503において判断結果が「はい」であれば、即ち、該指示情報のタイプが送信非周期サウンディングリファレンス信号SRSの送信のための指示情報であれば、該ユーザ装置UEは、非周期サウンディングリファレンス信号SRSを送信すると確定することができる。
【００８７】
ステップ505：ステップ503において判断結果が「いいえ」であれば、即ち、該指示情報のタイプが非周期サウンディングリファレンス信号SRSを送信しないための指示情報であれば、該ユーザ装置UEは、非周期SRSを送信しないと確定することができる。
【００８８】
上述の実施例から分かるように、ユーザ側では、ユーザ装置UEが非競合ランダムアクセスかそれとも競合ランダムアクセスプロセスを実行するかにもかかわらず、基地局は、予め構成されたRARのフォーマットに基づいてそれ相応のRARメッセージを生成し、且つ、該ユーザ装置UEは、予め構成されたRARメッセージのフォーマットに基づいて、受信したRARメッセージに対して処理を行い、該RARメッセージにおける指示情報を取得することができ；そのうち、該指示情報のタイプが"1"であれば、非周期SRSを送信すると確定することができ;該指示情報のタイプが"0"であれば、非周期SRSを送信しないと確定することができる。この場合、該ユーザ装置UEは、受信したRARメッセージに対して処理を行う時に、そのランダムアクセスプロセスのタイプを区分する必要がない。
【００８９】
図6は、発明実施例3におけるステップ403を実現するフローチャートその２である。そのうち、RARメッセージのフォーマットは、予め基地局により構成され、ユーザ装置UEに通知されたものであり、且つ、該RARメッセージのフォーマットは、ランダムアクセスタイプに対応し、これにより、該ユーザ装置UEは、該RARメッセージを受信した時に、ランダムアクセスタイプに対応するRARメッセージのフォーマットに基づいて、受信したRARメッセージに対してそれ相応の処理を行う。具体的に、該基地局は、非競合ランダムアクセスプロセスに対応するランダムアクセスレスポンスメッセージのフォーマットのみを構成し、ユーザ装置UEに通知してもよい。競合ランダムアクセスプロセスに対応するランダムアクセスレスポンスメッセージのフォーマットに関しては、ユーザ装置UEとともに、デフォルトの方式を採用することを約束してもよい。図6に示すように、次のようなステップを含む。
【００９０】
ステップ601：該ユーザ装置UEは、該基地局により、該ユーザ装置UEが送信したランダムアクセスプリアンブルに基づいて返されたRARメッセージを受信する。
【００９１】
そのうち、該RARメッセージは、該ユーザ装置UEに、非周期サウンディングリファレンス信号SRSを送信するかどうかを指示するための指示情報を含む。
【００９２】
該RARメッセージのフォーマットは、基地局が予め構成したフォーマットを採用してもよく、且つ、該RARメッセージのフォーマットは、ランダムアクセスタイプに対応し；例えば、競合ランダムアクセスプロセスは、デフォルトのRARメッセージの元のフォーマットに対応し；非競合ランダムアクセスプロセスは、基地局が構成した、指示情報を含むRARメッセージのフォーマットに対応し、例えば、該フォーマットは、RARメッセージにおける予備ビットRを用いて指示情報をキャリーするフォーマットであってよく、又は、該フォーマットは、RARメッセージにおける新しく追加されたビットを用いて指示情報をキャリーするフォーマットであってよい。
【００９３】
このようにして、該基地局は、該ユーザ装置UEが送信したランダムアクセスプリアンブルを受信し、該RARメッセージを生成する時に、予め構成された、該ランダムアクセスタイプに対応するランダムアクセスレスポンスメッセージのフォーマットに基づいて、該RARメッセージを生成することができる。そのうち、競合ランダムアクセスプロセスに関しては、デフォルトの元のフォーマットを採用し、その中には、指示情報が含まれず、又は、元のフォーマットにおける予備ビットRを"0"に設置し、ユーザ装置UEに、非周期SRSを送信しないことを指示する。非競合ランダムアクセスプロセスに関しては、構成された、非競合ランダムアクセスプロセスに対応するランダムアクセスレスポンスメッセージのフォーマットを採用し、そのうち、基地局により、ユーザ装置UEが非周期SRSを送信する必要があると確定する時に、指示情報を"1"に設置し、そうでなければ、指示情報を"0"に設置する。
【００９４】
ステップ602：該ユーザ装置UEは、ランダムアクセスタイプが非競合ランダムアクセスプロセスかそれとも競合ランダムアクセスプロセスであるかを判断し；非競合ランダムアクセスプロセスであると判断すれば、ステップ603を実行し、そうでなければ、ステップ607を実行する。
【００９５】
ステップ603：ステップ602において、ランダムアクセスタイプが非競合ランダムアクセスプロセスであれば、該ユーザ装置UEは、予め構成された、該非競合ランダムアクセスプロセスに対応するRARメッセージのフォーマットに基づいて、該RARメッセージに対してそれ相応の処理を行い、該RARメッセージに含まれている指示情報を取得する。
【００９６】
そのうち、該RARメッセージに対して処理を行うこととは、該RARメッセージに対してデコーディングを行うことを指す。
【００９７】
ステップ604：該指示情報のタイプが非周期サウンディングリファレンス信号SRSの送信のためのものであるかどうかを判断し；判断結果が「はい」であれば、ステップ605を実行し、そうでなければ、ステップ607を実行する。
【００９８】
そのうち、該指示情報が"1"であれば、非周期SRSを送信することを表し;該指示情報が"0"であれば、非周期SRSを送信しないことを表す。
【００９９】
ステップ605：ステップ604において、判断結果が「はい」であれば、即ち、該指示情報のタイプが非周期サウンディングリファレンス信号SRSの送信のためのものであれば、ユーザ装置UEは、非周期SRSを送信すると確定する。
【０１００】
ステップ607：ステップ604において、判断結果が「いいえ」であれば、即ち、指示情報のタイプが非周期サウンディングリファレンス信号SRSを送信しないためのものであれば、ユーザ装置UEは、非周期SRSを送信しないと確定する。
【０１０１】
ステップ606：ステップ602において、ランダムアクセスタイプが競合ランダムアクセスプロセスであれば、該ユーザ装置UEは、デフォルトのRARメッセージのフォーマットに基づいて、該RARメッセージに対して処理を行い、また、分かるように、該RARメッセージには、指示情報が含まれていなければ、又は、該指示情報が"0"であれば、非周期SRSを送信しないと確定することができる。
【０１０２】
上述から分かるように、基地局は、ランダムアクセスプロセスのRARメッセージにより、ユーザ装置UEが非周期サウンディングリファレンス信号SRSを送信することをトリガーし、未リリースのリソース上で該非周期SRSを送信させることができる。これにより、基地局は、該ユーザ装置の上りチャネル状態情報CSIを迅速に取得し、そして、ユーザ装置UEの上りデータ伝送のためのリソーススケジューリングを迅速に行うことができる。
【０１０３】
図7は、本発明の実施例4における非周期サウンディングリファレンス信号のトリガー方法のフローチャートである。そのうち、ランダムアクセスプロセスがユーザ装置UEにより自発的に又は基地局によりトリガーされ得るので、該ユーザ装置UEは自発的に、又は、基地局のトリガーにより、基地局にランダムアクセスプリアンブルを送信することができる。基地局は、ユーザ装置UEが送信したランダムアクセスプリアンブルを受信した後に、該基地局は、ユーザ装置UEが非周期SRSを送信することを要すれば、該UEに返すRARメッセージに、非周期SRSの送信を該ユーザ装置UEに指示するための指示情報をキャリーさせ、これにより、該ユーザ装置UEの非周期SRSをトリガーさせ;そうでなければ、該UEに返すRARメッセージに、非周期SRSを送信しないことを該ユーザ装置に指示するための指示メッセージをキャリーさせる。図7に示すように、該方法は、次のようなステップを含む。
【０１０４】
ステップ701：基地局は、ユーザ装置UEが送信したランダムアクセスプリアンブルを受信する。
【０１０５】
ステップ702：予め構成されたランダムアクセスレスポンスメッセージのフォーマットに基づいて、又は、予め構成された、ランダムアクセスタイプに対応するランダムアクセスレスポンスメッセージのフォーマットに基づいて、対応するランダムアクセスレスポンスメッセージを生成し、そのうち、該ランダムレスポンスメッセージには、該ユーザ装置UEに、非周期サウンディングリファレンス信号を送信するかどうかを指示するための指示情報が含まれている。
【０１０６】
ステップ703：該ユーザ装置UEに該ランダムアクセスレスポンスメッセージを送信し、これにより、該ユーザ装置UEは、該ランダムアクセスレスポンスメッセージに含まれた指示情報のタイプに基づいて、非周期サウンディングリファレンス信号SRSを送信するかどうかを確定する。
【０１０７】
そのうち、基地局によりランダムアクセスプロセスをトリガーすれば、該方法は、さらに、該基地局により、ユーザ装置UEがランダムアクセスプロセスを行うことをトリガーするステップをも含み、これは、従来技術と類似するので、ここでは、その説明を略す。
【０１０８】
そのうち、該基地局は、ユーザ装置UEが非周期SRSを送信することを要すれば、該UEに返すRARメッセージに、非周期SRSの送信を該ユーザ装置UEに指示するための指示情報をキャリーさせ、これにより、該ユーザ装置UEの非周期SRSをトリガーさせ;そうでなければ、該UEに返すRARメッセージに、該ユーザ装置に非周期SRSを送信しないことを指示するための指示メッセージをキャリーさせる。これ以外に、該RARメッセージには、上述の指示情報が含まれている他に、ランダムアクセスプロセスの他の情報も含まれてもよく、例えば、上り同期用の時間調整情報、ユーザ装置UEのために割り当てられた上りデータ伝送に必要なリソース、及びセル無線ネットワーク一時識別子C-RNTI等の情報が含まれてもよい。
【０１０９】
本実施例では、ステップ702において、基地局が、予め構成されたランダムアクセスレスポンスメッセージのフォーマットに基づいてそれ相応のRARメッセージを生成する時に、具体的に次のようなステップを含む。即ち、基地局は、ユーザ装置UEが送信したランダムアクセスプリアンブルを受信した時に、該ランダムアクセスプリアンブルに基づいて該ユーザ装置UEのランダムアクセスプロセスが競合ランダムアクセスプロセスであると確定すれば、予め構成されたフォーマットのRARメッセージを生成する時に、該指示情報を"0"に設置し;該ユーザ装置UEのランダムアクセスプロセスが非競合ランダムアクセスプロセスであると確定すれば、該基地局は、まず、該ユーザ装置UEが非周期SRSを送信する必要があるかどうかを確定し、該ユーザ装置UEが非周期SRSを送信する必要があると確定すれば、該指示情報を"1"に設置し、該ユーザ装置UEが非周期SRSを送信する必要がないと確定すれば、該指示情報を"0"に設置することができる。
【０１１０】
本実施例では、ステップ702において、基地局が、予め構成された、ランダムアクセスタイプに対応するランダムアクセスレスポンスメッセージのフォーマットに基づいて、それ相応のランダムアクセスレスポンスメッセージを生成する時に、具体的に次のようなステップを含む。
【０１１１】
基地局は、ユーザ装置UEが送信したランダムアクセスプリアンブルを受信した時に、該ランダムアクセスプリアンブルに基づいて、該ユーザ装置UEのランダムアクセスプロセスが競合ランダムアクセスプロセスであると確定すれば、デフォルトの元のフォーマットのRARメッセージを生成し、その中には、指示情報が含まれておらず、又は、元のフォーマットにおける予備ビットRを"0"に設置し、ユーザ装置UEに非周期SRSを送信しないことを指示し;非競合ランダムアクセスプロセスであれば、構成された、非競合ランダムアクセスプロセスに対応するランダムアクセスレスポンスメッセージのフォーマットを採用し、そのうち、基地局は、ユーザ装置UEが非周期SRSを送信する必要があると確定すれば、指示情報を"1"に設定し、それなければ、指示情報を"0"に設置する。
【０１１２】
本実施例では、該RARメッセージに含まれている指示情報は、該RARメッセージにおける予備ビットによりキャリーされ、又は、新しく追加されたビットによりキャリーされ、例えば、ULグラント（UL  Grant)フィールドに新しく追加されたビットbitによりキャリーされる。以下に例を挙げて説明する。
【０１１３】
図8は、従来技術におけるRARメッセージのフォーマットを示す図である。図9は、RARメッセージにおける予備ビット"R"を用いて該指示情報をキャリーするRARメッセージのフォーマットを示す図であり。そのうち、該指示情報を示すビットは、"S"で表す。図10は、RARのULグラント（UL  Grant)フィールドに新しく追加されたビットにより指示情報をキャリーするRARメッセージのフォーマットを示す図である。
【０１１４】
図8に示すように、そのうち、各フィールドが示す意味は、次の通りである。
【０１１５】
R：予備ビットであり、通常は、0と設定され;
タイムアドバンスコマンド（TAC：Time  Advance  Command)：ユーザ装置UEの上り送信時間を調整するために用いられ；
セル無線ネットワーク一時的識別子（Temporary  C-RNTI);及び
ULグラント（UL  Grant)：ユーザ装置UEの上りデータ伝送に必要なリソースを割り当てるために用いられ、トータルで２０bitであり、含まれているパラメータ及びbit数は、次の表に示されている。
【表３】
0005958618.tif 000004
【０１１６】
図9に示すように、予備ビットRを用いて該指示情報をキャリーし、該予備ビットRは、lbitである。Rbitを、非周期SRSをトリガーするbit"S"に設置する。例えば、基地局は、ユーザ装置UEが非周期SRSを送信することをトリガーする必要があれば、Sを"1"に設置してもよく;基地局は、ユーザ装置UEが非周期SRSを送信することをトリガーする必要がなければ、Sを"0"に設置してもよい。このようにして、ユーザ装置UEは、図9に示すフォーマットのRARメッセージを受信した時に、それ相応のデコーディングを行い、該"S"bitがキャリーしている指示情報を取得し、そして、該指示情報のタイプに基づいて、非周期SRSの送信の要否を確定することができる。この場合、元のRARメッセージのフォーマットに対しての変更が大きくないので、実際の応用に便利である。
【０１１７】
図10に示すように、新しく追加されたビットを用いて指示情報をキャリーし、例えば、ULグラント（ULgrant)フィールドに一つのbitを新しく追加し、非周期SRSのトリガーの用に供する。このようにして、ULグラントのフィールドにおけるビット数は、トータルで21bitになり、含まれているパラメータ及びbit数は、次の表に示されている。
【表４】
0005958618.tif 000005
【０１１８】
上の表に示すように、基地局は、ユーザ装置UEが非周期SRSを送信することをトリガーする必要があれば、非周期SRS要求bitを"1"に設定することができ;基地局は、ユーザ装置UEが非周期SRSを送信することをトリガーする必要がなければ、非周期SRS要求ビットを"0"に設定することができる。このようにして、ユーザ装置UEは、図10に示すフォーマットのRARメッセージを受信した時に、それ相応のデコーディングを行い、非周期SRS要求ビットがキャリーしている指示情報を取得し、そして、該指示情報のタイプに基づいて、非周期SRSの送信の要否を確定することができる。この場合、元のRARメッセージのフォーマットに対しての変更が比較的大きい。図10に示すように、該RARメッセージの総bit数が不変であり、それは、該RARメッセージのフォーマットを変え、原予備ビットRをUL  grantフィールドに新しく追加しただけである。
【０１１９】
上述から分かるように、異なるキャリー方式を採用するため、該RARメッセージは、異なるフォーマットに対応することができ、異なるフォーマットのRARメッセージは、異なる処理方式に対応する。そのうち、該RARメッセージのフォーマットは、予め基地局により構成され、ユーザ装置UEに通知されもよく、これにより、ユーザ装置UEは、該RARメッセージを受信した時に、構成されたフォーマットに基づいてそれ相応の処理を行い；或いは、予め基地局によりランダムアクセスプロセスのタイプに基づいてそれ相応のRARメッセージのフォーマットを構成し、即ち、非競合ランダムアクセスプロセスについて図9又は図10に示すフォーマットを構成し、競合ランダムアクセスについて図8に示すフォーマットを構成し、そして、該ユーザ装置UEに通知し、これにより、該ユーザ装置UEは、該RARメッセージを受信した時に、構成された、ランダムアクセスタイプに対応するフォーマットに基づいてそれ相応の処理を行う。
【０１２０】
このようにして、該方法は、さらに、該基地局により、該ユーザ装置UEが非周期サウンディングリファレンス信号SRSを送信するのに使用するリソース情報を構成し；構成された該リソース情報を、無線リソース制御（RRC：Radio  Resource  Control)シグナリングにより、該ユーザ装置UEに通知することを含んでもよい。そのうち、該無線リソース制御シグナリングは、無線リソース制御コネクションセットアップ（RRC  Connection  Setup)シグナリング、又は、無線リソース制御コネクション再構成（RRC  Connection  Reconfiguration)シグナリング、又は、無線リソース制御コネクション再設定（RRC  Connection  Reestablishment)シグナリングであってもよい。なお、これに限定されず、ニーズに応じて他のシグナリングを採用して実現してもよい。
【０１２１】
本実施例では、該方法は、さらに、該基地局により、該ユーザ装置UEのために、該RARメッセージのフォーマットを構成し；構成されたRARメッセージのフォーマットを該ユーザ装置UEに通知し、該ユーザ装置UEは、該ランダムアクセスレスポンスメッセージのフォーマットに基づいて、受信したRARメッセージに対してそれ相応の処理を行うことを含んでもよい。そのうち、予めRARメッセージのフォーマットを構成していれば、ステップ701において、基地局は、該ユーザ装置UEが送信したランダムアクセスプリアンブルを受信した後に、予め構成されたRARメッセージのフォーマットに基づいてそれ相応のRARメッセージを生成し、これにより、ユーザ装置UEは、該RARメッセージを受信した後に、それ相応の処理を行う。この場合、競合ランダムアクセスであっても非競合ランダムアクセスプロセスであっても、そのRARメッセージのフォーマットは、すべて予め構成されたフォーマットである。
【０１２２】
本実施例では、該方法は、さらに、該基地局により、該ユーザ装置UEのために、非競合ランダムアクセスプロセスに対応するRARメッセージのフォーマットを構成し；構成された、ランダムアクセスプロセスに対応するRARメッセージのフォーマットを、該ユーザ装置UEに通知し、これにより、該ユーザ装置UEは、ランダムアクセスプロセス及び該ランダムアクセスプロセスに対応するRARメッセージのフォーマットに基づいて、受信したRARメッセージに対してそれ相応の処理を行うことを含む。そのうち、ランダムアクセスプロセスが競合ランダムアクセスプロセスであれば、予めRARメッセージのフォーマットを、図8に示すフォーマットのように構成してもよく；ランダムアクセスが非競合ランダムアクセスであれば、予めRARメッセージのフォーマットを、図9又は図10に示すフォーマットのように構成してもよい。ステップ701において、基地局は、該ユーザ装置UEが送信したランダムアクセスプリアンブルを受信した後に、ランダムアクセスの競合のタイプに基づいてそれ相応のRARメッセージを生成し、これにより、ユーザ装置UEは、該RARメッセージを受信した後に、ランダムアクセスの競合のタイプに基づいてそれ相応の処理を行う。
【０１２３】
上述の実施例から分かるように、基地局は、ユーザ装置UEが送信したランダムアクセスプリアンブルを受信した時に、予め構成したフォーマットに基づいて、対応するフォーマットのRARメッセージを生成して返すことができ、これにより、ユーザ装置UEは、基地局が送信したRARメッセージを受信した後に、予め構成されたフォーマットに基づいて、該RARメッセージに対して処理を行い、それ相応の指示情報を取得し、そして、該指示情報が、ユーザ装置UEが非周期SRSを送信することを示している時に、未リリースのリソースを用いて、基地局に該非周期サウンディングリファレンス信号SRSを送信することができる。これにより、該基地局は、ユーザ装置UEの上りチャネル状態情報CSIを迅速に取得し、そして、ユーザ装置UEの上りデータ伝送のためのリソーススケジューリングを迅速に行うことができる。
【０１２４】
図11は、本発明の実施例5による非周期サウンディングリファレンス信号のトリガー方法のフローチャートである。そのうち、基地局が予め構成したRARメッセージのフォーマットが図9又は図10に示すフォーマットであることを例として説明を行い、且つ、競合又は非競合ランダムアクセスプロセスは、すべて上述のフォーマットを採用する。図11に示すように、該方法は、次のようなステップを含む。
【０１２５】
ステップ1101：予備プロセスであり、基地局は、ユーザ装置UEが非周期サウンディングリファレンス信号SRSを送信するのに使用するリソース情報を構成し；構成した該リソース情報を無線リソース制御シグナリングRRCにより該ユーザ装置UEに通知する。
【０１２６】
そのうち、該無線リソース制御シグナリングRRCは、上述のようであるので、ここでは、その説明を略す。これ以外に、該基地局は、該ユーザ装置UEのために、ランダムアクセスレスポンスRARメッセージのフォーマットを構成し、例えば、図9に示すフォーマットを構成し、該ユーザ装置UEに通知する。
【０１２７】
該ユーザ装置UEは、該基地局が送信したリソース情報を受信した後に、該リソース情報を記憶し；且つ、該ユーザ装置は、該基地局が構成したRARメッセージのフォーマットを受信した後に、該フォーマット情報を記憶する。
【０１２８】
ステップ1102：ユーザ装置UEが同期を失えば、又は、ユーザ装置UEから基地局へのスケジューリング要求SRの送信が失敗すえば、該ユーザ装置UEは、基地局が該ユーザ装置UEのために構成した非周期サウンディングリファレンス信号SRSの送信に使用するリソースをリリースしない。
【０１２９】
ステップ1103：該ユーザ装置UEは、ランダムアクセスプロセスを実行する。
【０１３０】
そのうち、該ユーザ装置UEは非競合ランダムアクセスを実行すれば、該ユーザ装置UEは、該基地局が通知した特定のランダムアクセスプリアンブルシーケンスに基づいて、該基地局に、特定の無衝突のランダムアクセスプリアンブルPreambleを送信する。
【０１３１】
ステップ1104：該基地局は、該ユーザ装置UEが送信したランダムアクセスプリアンブルを受信し、該ランダムアクセスプリアンブルに基づいて、該ランダムアクセスプロセスが非競合ランダムアクセスであると確定する。
【０１３２】
ステップ1105：該基地局は、予め構成したRARメッセージのフォーマットに基づいて、RARメッセージを生成し、該RARメッセージを該ユーザ装置UEに返す。
【０１３３】
そのうち、該RARメッセージには、ユーザ装置UEが非周期SRSを送信するかどうかを指示するための指示情報を含み、そのうち、RARメッセージを生成する時に、基地局は、該ユーザ装置UEが非周期SRSを送信する必要があると確定すれば、該指示情報を"1"に設置することができ、該ユーザ装置UEが非周期SRSを送信する必要がないと確定すれば、該指示情報を"0"に設置することができる。
【０１３４】
ステップ1106：該ユーザ装置UEは該RARメッセージを受信し、予め構成されたRARメッセージのフォーマットに基づいて、該RARメッセージに対してそれ相応の処理を行い、該指示情報を取得する。
【０１３５】
ステップ1107：該指示情報のタイプが非周期サウンディングリファレンス信号SRSの送信のためのものであるかどうかを判断し；判断結果が「はい」であれば、ステップ1108を実行し、そうでなければ、ステップ1110を実行する。
【０１３６】
そのうち、該指示情報が"1"であれば、非周期SRSを送信することを表し;該指示情報が"0"であれば、非周期SRSを送信しないことを表す。
【０１３７】
ステップ1108：ステップ1107において判断結果が「はい」であれば、該ユーザ装置UEは、非周期サウンディングリファレンス信号SRSを送信すると確定する。
【０１３８】
ステップ1109：該ユーザ装置UEは、未リリースの、基地局が該ユーザ装置UEのために割り当てたリソースにより、該非周期サウンディングリファレンス信号SRSを送信する。
【０１３９】
ステップ1110：ステップ1107において判断結果が「いいえ」でれば、ユーザ装置UEは、非周期SRSを送信しないと確定する。
【０１４０】
上述の実施例から分かるように、ユーザ装置UEが非競合ランダムアクセスプロセスを実行するときに、基地局が返したRARメッセージを受信すれば、ランダムアクセスが完成し；且つ、該RARメッセージに含まれている指示情報のタイプに基づいて、非周期SRSの送信の要否を確定することができ、判断結果が非周期SRSの送信であれば、該ユーザ装置UEにおいて、未リリースのリソースを用いて該非周期SRSを送信する。
【０１４１】
図11に示す実施例5では、ステップ1103において、該ユーザ装置UEがランダムアクセスプロセスを実行する場合、そのうち、該ユーザ装置UEが競合ランダムアクセスを実行すれば、該ユーザ装置UEが該基地局に競合ランダムアクセスプリアンブルPreambleを送信する。
【０１４２】
このようにして、ステップ1104において、該基地局は、該ユーザ装置UEが送信したランダムアクセスプリアンブルを受信し、該ランダムアクセスプリアンブルに基づいて、該ランダムアクセスプロセスが競合ランダムアクセスであると確定する。ステップ1105において、該基地局は、予め構成したRARメッセージのフォーマットに基づいてRARメッセージを生成し、該RARメッセージを該ユーザ装置UEに返し;そのうち、該RARメッセージには、ユーザ装置UEが非周期SRSを送信するかどうかを指示するための指示情報が含まれ、そのうち、RARメッセージを生成する時には、基地局は、該指示情報を"0"に設置する。これ以外に、他のステップは、図11と類似するので、ここでは、その説明を略す。
【０１４３】
上述の実施例から分かるように、ユーザ装置UEは、競合ランダムアクセスプロセスを実行する場合、基地局が返したRARメッセージを受信した時に、該RARメッセージに含まれている指示情報のタイプに基づいて、非周期SRSを送信しないと確定する。
【０１４４】
図12は、本発明の実施例6による非周期サウンディングリファレンス信号のトリガー方法のフローチャートである。そのうち、基地局が予め、ランダムアクセスのタイプに対応するRARメッセージのフォーマットを構成することを例として説明を行い、そのうち、競合ランダムアクセスであれば、構成されたフォーマットは、図8に示すフォーマットであり；非競合ランダムアクセスであれば、構成されたフォーマットは、図9又は図10に示すフォーマットである。図12に示すように、該方法は、次のステップを含む。
【０１４５】
ステップ1201：予備プロセスであり、基地局は、ユーザ装置UEが非周期サウンディングリファレンス信号SRSを送信するのに使用するリソース情報を構成し；構成した該リソース情報を無線リソース制御シグナリングにより該ユーザ装置UEに通知する。
【０１４６】
そのうち、該無線リソース制御シグナリングは、上述と同様であるため、ここでは、その説明を略す。
【０１４７】
また、該基地局は、該ユーザ装置UEのために、ランダムアクセスのタイプに対応するランダムアクセスレスポンスRARメッセージのフォーマットを構成し、該ユーザ装置UEに通知する。
【０１４８】
該ユーザ装置UEは、該基地局が送信したリソース情報を受信した後に、該リソース情報を保存し；且つ、該ユーザ装置は、該基地局が構成した、ランダムアクセスのタイプに対応するRARメッセージのフォーマットを受信した後に、該フォーマット情報を保存する。
【０１４９】
ステップ1202：ユーザ装置UEが同期を失えば、又は、ユーザ装置UEから基地局へのスケジューリング要求SRの送信が失敗すれば、該ユーザ装置UEは、基地局が該ユーザ装置UEのために構成した非周期サウンディングリファレンス信号SRSの送信に使用するリソースをリリースしない。
【０１５０】
ステップ1203：該ユーザ装置UEは、ランダムアクセスプロセスを実行する。
【０１５１】
そのうち、該ユーザ装置UEは、非競合ランダムアクセスを実行すれば、該ユーザ装置UEは、該基地局が通知した特定のランダムアクセスプリアンブルシーケンスに基づいて、該基地局に、特定の無衝突のランダムアクセスプリアンブルPreambleを送信する。
【０１５２】
該ユーザ装置UEは、自発的に競合ランダムアクセスを起動すれば、該ユーザ装置UEは、該基地局に競合ランダムアクセスプリアンブルPreambleを送信する。
【０１５３】
ステップ1204：該基地局は、該ユーザ装置UEが送信したランダムアクセスプリアンブルを受信し、該ランダムアクセスプリアンブルに基づいて、該ランダムアクセスプロセスのタイプを確定する。
【０１５４】
ステップ1205：該基地局は、予め構成した、ランダムアクセスのタイプに対応するRARメッセージのフォーマットに基づいて、RARメッセージを生成し、該RARメッセージを該ユーザ装置UEに返す。
【０１５５】
そのうち、ランダムアクセスタイプが競合ランダムアクセスプロセスであれば、図8に示すようなRARフォーマットのメッセージを生成し；そのうち、該RARメッセージには、指示情報が含まれず、又は、図8に示すフォーマットにおける予備ビットを"0"に設置する。
【０１５６】
ランダムアクセスタイプが非競合ランダムアクセスプロセスであれば、該基地局は、予め構成したフォーマットに基づいて、図9及び図10に示すフォーマットのRARメッセージを生成し；且つ、該RARメッセージには、ユーザ装置UEが非周期SRSを送信するかどうかを指示するための指示情報が含まれ、ユーザ装置UEが非周期SRSを送信する必要があれば、該指示情報は"1"であってもよく；そうでなければ、該指示情報は"0"であってもよい。
【０１５７】
ステップ1206：該ユーザ装置UEは、該RARメッセージを受信する。
【０１５８】
ステップ1207：ランダムアクセスのタイプが非競合ランダムアクセスプロセス又は競合ランダムアクセスプロセスであるかどうかを判断し；判断結果が非競合ランダムアクセスプロセスであれば、ステップ1208を実行し；そうでなければ、ステップ1212を実行する。
【０１５９】
ステップ1208：ステップ1207において、判断結果が非競合ランダムアクセスであれば、該ユーザ装置UEは、予め構成された、非競合ランダムアクセスに対応するRARメッセージのフォーマットに基づいて、該RARメッセージに対してそれ相応の処理を行い、該RARメッセージに含まれている指示情報を取得する。
【０１６０】
ステップ1209〜1211、ステップ1213は、図11に示すステップ1107〜1110と類似するため、ここでは、その説明を略す。
【０１６１】
ステップ1212：ステップ1207において、判断結果が競合ランダムアクセスであれば、該ユーザ装置UEは、予め構成された、競合ランダムアクセスに対応するRARメッセージのフォーマット、例えば、図8のフォーマットに基づいて、該RARメッセージに対してそれ相応の処理を行い；指示情報が取得されていなければ、又は、取得された指示情報が"0"であれば、該ユーザ装置UEは、非周期SRSを送信しないと確定することができる。
【０１６２】
上述の実施例から分かるように、基地局は、予め、ユーザ装置が非周期SRSを送信するためのリソースセット、及び、RARメッセージのフォーマットを構成し、また、ユーザ装置UEに通知することができ;ユーザ装置UEは、TATがタイムアウトした、又は、PUCCH上でスケジューリング要求SRの送信が失敗した（スケジューリング要求の送信回数が最大値に達した）後に、基地局が構成した非周期サウンディングリファレンス信号SRSの送信のためのリソースをリリースせず、基地局が送信したランダムアクセスプロセスのランダムレスポンスメッセージにおける指示情報に基づいて、非周期サウンディングリファレンス信号SRSを送信すると確定し、そして、未リリースのリソース上で該非周期SRSを送信することができる。これにより、該基地局は、ユーザ装置UEの上りチャネル状態情報CSIを迅速に取得し、そして、ユーザ装置UEの上りデータ伝送のためのリソーススケジューリングを迅速に行うことができる。
【０１６３】
本発明の実施例は、次の実施例に記載のように、基地局及びユーザ装置を更に提供する。該基地局及びユーザ装置が問題を解決する原理は、上述の基地局及びユーザ装置に基づく非周期サウンディングリファレンス信号のトリガー方法と類似し、該基地局及びユーザ装置の実施は、上述の方法の実施を参照することができるので、ここでは、その重複した説明を略す。
【０１６４】
図13は、本発明の実施例7によるユーザ装置の構成図である。図13に示すように、該ユーザ装置は、第二リソース処理ユニット1301、第二ランダムアクセスユニット1302、第一確定ユニット1303、及び第二情報送信ユニット1304を含む。
【０１６５】
第二リソース処理ユニット1301は、ユーザ装置UEが同期を失った、又は、ユーザ装置UEから基地局へのスケジューリング要求SRの送信が失敗した時に、該ユーザ装置UEが、基地局が該ユーザ装置UEのために構成した非周期サウンディングリファレンス信号SRSの送信に使用するリソースをリリースしないために用いられる。
【０１６６】
第二ランダムアクセスユニット1302は、ランダムアクセスプロセスを実行するために用いられ；そのうち、自発的に、又は、基地局により、ランダムアクセスプリアンブルの送信をトリガーすることができる。
【０１６７】
第一確定ユニット1303は、該基地局が送信したランダムアクセスレスポンスメッセージに含まれている指示情報のタイプに基づいて、非周期サウンディングリファレンス信号SRSの送信の要否を確定するために用いられる。
【０１６８】
第二情報送信ユニット1304は、該ユーザ装置UEが非周期サウンディングリファレンス信号SRSの送信を確定した時に、該基地局が該ユーザ装置UEのために構成した非周期サウンディングリファレンス信号SRSの送信に使用するリソース上で、非周期サウンディングリファレンス信号SRSを送信するために用いられる。
【０１６９】
上述のユーザ装置UEのワーキングプロセスは、実施例3と類似するため、ここでは、その説明を略す。本発明の実施例では、ユーザ装置UEは、基地局が予め構成したRARメッセージのフォーマットに基づいて、受信したRARメッセージに対して処理を行い、RARメッセージにおける指示情報を取得することができる。
【０１７０】
このようにして、本実施例では、図14に示すように、第一確定ユニット1303は、次のような部分を含んでもよい。
【０１７１】
図14は、本発明の実施例7における第一確定ユニットの構成図である。図14に示すように、第一確定ユニットは、第一受信ユニット1401、第一情報取得ユニット1402、及び第二確定ユニット1403を含む。
【０１７２】
第一受信ユニット1401は、基地局が送信したRARメッセージを受信するために用いられる。
【０１７３】
第一情報取得ユニット1402は、予め構成されたRARメッセージのフォーマットに基づいて、RARメッセージに対してそれ相応の処理を行い、RARメッセージに含まれている指示情報を取得するために用いられる。
【０１７４】
第二確定ユニット1403は、指示情報のタイプが非周期サウンディングリファレンス信号SRSの送信のためのものである時に、非周期サウンディングリファレンス信号SRSの送信を確定し;且つ、指示情報のタイプが非周期サウンディングリファレンス信号SRSの送信じゃないものである時に、非周期サウンディングリファレンス信号SRSを送信しないことを確定するために用いられる。
【０１７５】
図14に示す第一確定ユニットのワーキングプロセスは、図5に示すプロセスと類似するため、ここでは、その説明を略す。
【０１７６】
本発明の実施例では、ユーザ装置UEは、基地局が予め構成した、ランダムアクセスタイプに対応するRARメッセージのフォーマットに基づいて、受信したRARメッセージを処理することができ、非競合ランダムアクセスであれば、予め構成されたフォーマットに基づいて、RARメッセージを処理し；競合ランダムアクセスであれば、予め構成されたフォーマットに基づいて、RARメッセージを処理する。非競合ランダムアクセスに対応するフォーマットを採用してRARメッセージを処理し、且つ、取得した指示情報が非周期SRSの送信のための指示情報である時のみに、該ユーザ装置UEは、非周期SRSの送信を確定する。このようにして、第一確定ユニット1303は、次のような部分を含んでもよい。
【０１７７】
図15は、本発明の実施例7における第一確定ユニットの構成図である。図15に示すように、第一確定ユニットは、第二受信ユニット1501、第三確定ユニット1502、第二情報取得ユニット1503及び第四確定ユニット1504を含む。
【０１７８】
第二受信ユニット1501は、基地局が送信したRARメッセージを受信するために用いられる。
【０１７９】
第三確定ユニット1502は、ランダムアクセスタイプが非競合ランダムアクセス又は競合ランダムアクセスであるかどうかを確定するために用いられる。
【０１８０】
第二情報取得ユニット1503は、ランダムアクセスタイプが非競合ランダムアクセスである時に、予め構成された、ランダムアクセスタイプに対応するRARメッセージのフォーマットに基づいて、RARメッセージに対してそれ相応の処理を行い、RARメッセージに含まれている指示情報を取得するために用いられる。
【０１８１】
第四確定ユニット1504は、指示情報のタイプが非周期サウンディングリファレンス信号SRSの送信のためのものである時に、非周期サウンディングリファレンス信号SRSの送信を確定するために用いられる。
【０１８２】
図15に示す第一確定ユニットのワーキングプロセスは、図6に示すプロセスと類似するため、ここでは、その説明を略す。
【０１８３】
また、図13に示すように、該ユーザ装置は、情報受信ユニット1305を更に含み、該情報受信ユニット1305は、基地局から、該基地局が該ユーザ装置UEのために構成した非周期SRSの送信に用いるリソース情報を受信するために用いられ；又は、該基地局が構成したRARメッセージのフォーマット情報をも受信するために用いられ；又は、該基地局が構成した、ランダムアクセスのタイプに対応するRARメッセージのフォーマット情報をも受信するために用いられる。
【０１８４】
また、該ユーザ装置UEは、記憶ユニット1306を更に含み、該記憶ユニット1306は、受信した上述のリソース情報、又は、フォーマット情報を記憶し、ユーザ装置UEが確認を行うために、及び、非周期SRSを送信するために用いられる。
【０１８５】
上述の実施例から分かるように、ユーザ装置UEが同期を失えば、又は、スケジューリング要求SRの送信が失敗すれば、基地局が該UEのために構成した非周期サウンディングリファレンス信号SRSの送信に用いるリソースをリリースせず、基地局が送信したランダムアクセスプロセスのランダムレスポンスメッセージにおける指示情報に基づいて非周期サウンディングリファレンス信号SRSの送信を確定し、そして、未リリースのリソース上で該非周期SRSを送信することができる。これにより、該基地局は、ユーザ装置UEの上りチャネル状態情報CSIを迅速に取得し、そして、ユーザ装置UEの上りデータ伝送のためにリソーススケジューリングを迅速に行うことができる。
【０１８６】
図16は、本発明の実施例8による基地局の構成図である。図16に示すように、該基地局は、第三受信ユニット1601、メッセージ生成ユニット1602及びメッセージ送信ユニット1603を含む。
【０１８７】
第三受信ユニット1601は、ユーザ装置UEが送信したランダムアクセスプリアンブルを受信するために用いられ；そのうち、該ユーザ装置は、自発的にランダムアクセスプリアンブルを送信し、又は、該ユーザ装置UEは、基地局のトリガーにより、該ランダムアクセスプリアンブルを送信する。
【０１８８】
メッセージ生成ユニット1602は、予め構成されたランダムアクセスレスポンスメッセージのフォーマット、又は、予め構成された、ランダムアクセスタイプに対応するランダムアクセスレスポンスメッセージのフォーマットに基づいて、それ相応のランダムアクセスレスポンスメッセージを生成するために用いられ；そのうち、該ランダムレスポンスメッセージには、ユーザ装置が非周期サウンディングリファレンス信号を送信するかどうかを指示するための指示情報が含まれている。
【０１８９】
メッセージ送信ユニット1603は、ユーザ装置UEに前記ランダムアクセスレスポンスメッセージを送信するために用いられ、これにより、該ユーザ装置UEは、該ランダムアクセスレスポンスメッセージに含まれている指示情報のタイプに基づいて、非周期サウンディングリファレンス信号の送信の要否を確定する。
【０１９０】
そのうち、基地局のトリガーによりユーザ装置UEがランダムアクセスプリアンブルを送信する場合、該基地局は、送信ユニット（図未せず）を更に含み、該送信ユニットは、ユーザ装置UEに、ランダムアクセスプロセスを行うプリアンブルシーケンス及びリソースを送信するために用いられ、これにより、該ユーザ装置UEがランダムアクセスプリアンブルを送信することをトリガーする。
【０１９１】
上述のユーザ装置UEのワーキングプロセスは、実施例4と類似するため、ここでは、その説明を略す。図16に示すように、該基地局は、第一構成ユニット1604及び第一送信ユニット1605を更に含む。
【０１９２】
第一構成ユニット1604は、ユーザ装置UEが非周期サウンディングリファレンス信号SRSを送信するのに使用するリソース情報を構成するために用いられ；第一送信ユニット1605は、構成されたリソース情報を、無線リソース制御シグナリングにより、該ユーザ装置UEに送信するために用いられる。
【０１９３】
図16に示すように、該基地局は、第二構成ユニット1606及び第二送信ユニット1607を更に含んでもよく;そのうち、第二構成ユニット1606は、ユーザ装置UEのためにRARメッセージのフォーマットを構成するために用いられ；第二送信ユニット1607は、構成されたRARメッセージのフォーマットを該ユーザ装置UEに通知するために用いられ、これにより、該ユーザ装置は、RARメッセージのフォーマットに基づいて、受信したRARメッセージに対してそれ応の処理を行う。
【０１９４】
図16に示すように、該基地局は、第三構成ユニット1608及び第三送信ユニット1609を更に含んでもよく;そのうち、第三構成ユニット1608は、該ユーザ装置UEのために、ランダムアクセスのタイプに対応するRARメッセージのフォーマットを構成するために用いられ；第三送信ユニット1609は、構成された、ランダムアクセスのタイプに対応するRARメッセージのフォーマットを、該ユーザ装置UEに通知するために用いられ、これにより、該ユーザ装置UEは、ランダムアクセスのタイプ及びランダムアクセスのタイプに対応するランダムアクセスレスポンスメッセージのフォーマットに基づいて、受信したランダムアクセスレスポンスメッセージに対してそれ相応の処理を行う。
【０１９５】
上述の実施例から分かるように、基地局は、予め、ユーザ装置が非周期SRSを送信するためのリソースセット及びRARメッセージのフォーマットを構成し、ユーザ装置UEに通知することができ;ユーザ装置UEが同期を失えば、又は、スケジューリング要求SRの送信が失敗すれば、基地局が該UEのために構成した非周期サウンディングリファレンス信号SRSの送信に用いるリソースをリリースせず、基地局が送信したランダムアクセスプロセスのランダムレスポンスメッセージにおける指示情報に基づいて、非周期サウンディングリファレンス信号SRSの送信を確定し、そして、未リリースのリソース上で、該非周期SRSを送信することができる。これにより、該基地局は、ユーザ装置UEの上りチャネル状態情報CSIを迅速に取得し、そして、ユーザ装置UEの上りデータ伝送のためのリソーススケジューリングを迅速に行うことができる。
【０１９６】
本発明の実施例は、コンピュータ読み取り可能なプログラムをも提供し、そのうち、ユーザ装置で該プログラムが実行する時に、該プログラムは、コンピュータに、該ユーザ装置において、上述の実施例1又は実施例3の非周期サウンディングリファレンス信号のトリガー方法を実行させる。
【０１９７】
本発明の実施例は、コンピュータ読み取り可能なプログラムを記録した記憶媒体をも提供し、そのうち、該コンピュータ読み取り可能なプログラムは、コンピュータに、ユーザ装置において、上述の実施例1又は実施例3の非周期サウンディングリファレンス信号のトリガー方法を実行させる。
【０１９８】
本発明の実施例は、コンピュータ読み取り可能なプログラムをも提供し、そのうち、基地局で該プログラムを実行する時に、該プログラムは、コンピュータに、該基地局において、上述の実施例4に記載の非周期サウンディングリファレンス信号のトリガー方法を実行させる。
【０１９９】
本発明の実施例は、コンピュータ読み取り可能なプログラムを記録した記憶媒体をも提供し、そのうち、前記コンピュータ読み取り可能なプログラムは、コンピュータに、基地局において、上述の実施例4に記載の非周期サウンディングリファレンス信号のトリガー方法を実行させる。
【０２００】
本発明の以上の装置及び方法は、ハードウェアにより実現されてもよく、ハードウェア及びソフトウェアの組み合わせにより実現されてもよい。本発明は、次のようなコンピュータ読み取り可能なプログラムに関し、即ち、該プログラムは、ロジック部品により実行される時に、該ロジック部件に、上述の装置又は構成部品を実現させることができ、或いは、該ロジック部品に、上述の各種方法又はステップを実現させることができる。本発明は、また、上述のプログラムを記録した記憶媒体、例えば、ハードディスク、磁気ディスク、光ディスク、DVD、flashメモリ等にも関する。
【０２０１】
以上、具体的な実施形態を参照しながら本発明について説明したが、当業者が理解すべきは、これらの説明は例示的なものであり、本発明の保護範囲を限定するためのものではないとのことである。また、当業者は、本発明の精神及び原理に基づいて、本発明に対して各種の変形及び変更を行ってもよく、また、これらの変形及び変更は、すべて本発明の技術的範囲に属する。
【図１】
0005958618.tif 000006
【図２Ａ】
0005958618.tif 000007
【図２Ｂ】
0005958618.tif 000008
【図３】
0005958618.tif 000009
【図４】
0005958618.tif 000010
【図５】
0005958618.tif 000011
【図６】
0005958618.tif 000012
【図７】
0005958618.tif 000013
【図８】
0005958618.tif 000014
【図９】
0005958618.tif 000015
【図１０】
0005958618.tif 000016
【図１１】
0005958618.tif 000017
【図１２】
0005958618.tif 000018
【図１３】
0005958618.tif 000019
【図１４】
0005958618.tif 000020
【図１５】
0005958618.tif 000021
【図１６】
0005958618.tif 000022